【手続補正書】
【提出日】平成23年8月26日(2011.8.26)
【手続補正１】
【補正対象書類名】特許請求の範囲
【補正対象項目名】全文
【補正方法】変更
【補正の内容】
【特許請求の範囲】
【請求項１】
潤滑性組成物であって、
（ｉ）基油と；
（ｉｉ）エチレン／α−オレフィン共重合体とを含み、前記エチレン／α−オレフィン共重合体が、
（ａ）約１．７〜約３．５のＭｗ／Ｍｎ、少なくとも１つの融点Ｔｍ（℃）、および密度ｄ（ｃｍ3）を有し、このＴｍおよびｄの数値が、以下の関係：
Ｔｍ＞−２００２．９＋４５３８．５（ｄ）−２４２２．２（ｄ）2
の関係に相当するか；または
（ｂ）約１．７〜３．５のＭｗ／Ｍｎを有し、そして融解熱ΔＨ（Ｊ／ｇ）、最高ＤＳＣピークと最高ＣＲＹＳＴＡＦピークとの間の温度差として定義される、デルタ量ΔＴ（℃）によって特徴付けられ、このΔＴおよびΔＨの数値が、以下の関係：
ΔＴ＞−０．１２９９（ΔＨ）＋６２．８１（ΔＨがゼロより大きくかつ最大１３０Ｊ／ｇまで）、
ΔＴ≧４８℃（ΔＨが１３０Ｊ／ｇより大きい場合）、
を有し、
ここで前記ＣＲＹＳＴＡＦピークが累積ポリマーの少なくとも５パーセントを用いて決定され、かつ前記ポリマーの５パーセント未満が同定可能なＣＲＹＳＴＡＦピークを有するならば、前記ＣＲＹＳＴＡＦ温度は３０℃であるか、または
（ｃ）前記エチレン／α−オレフィン共重合体の圧縮成形フィルムで測定された、３００パーセントのひずみかつ１サイクルでのパーセントである、弾性回復率Ｒｅによって特徴付けられ、そして密度ｄ（ｃｍ3）を有し、前記エチレン／α−オレフィン共重合体が実質的に架橋相を有さない場合、前記Ｒｅおよびｄの数値が、以下の関係、
Ｒｅ＞１４８１−１６２９（ｄ）を満たすか、または
（ｄ）ＴＲＥＦを用いて分画される場合、４０℃と１３０℃との間で溶出する分子画分であって、前記同じ温度の間で溶出する比較対象となるランダムエチレン共重合体画分のコモノマーモル含量よりも少なくとも５パーセント高いコモノマーモル含量を有するという点で特徴付けられる画分を有し、前記比較対象となるランダムエチレン共重合体が同じコモノマーを有し、かつメルトインデックス、密度、およびコモノマーモル含量（ポリマー全体に基づく）を前記エチレン／α−オレフィン共重合体のものの１０パーセント内で有するか、または、
（ｅ）２５℃での貯蔵弾性率であるＧ’（２５℃）、および１００℃での貯蔵弾性率であるＧ’（１００℃）を有し、前記Ｇ’（１００℃）に対するＧ’（２５℃）の比が約１：１〜約９：１の範囲である、潤滑性組成物。
【請求項２】
請求項１に記載の潤滑性組成物であって、前記エチレン／α−オレフィン共重合体が約１．７〜３．５のＭｗ／Ｍｎ、少なくとも１つの融点Ｔｍ（℃）、および密度ｄ（ｃｍ3）を有し、このＴｍおよびｄの数値が、以下の関係：
Ｔｍ≧８５８．９１−１８２５．３（ｄ）＋１１１２．８（ｄ）2
の関係に相当する、潤滑性組成物。
【請求項３】
請求項１に記載の潤滑性組成物であって、前記エチレン／α−オレフィン共重合体が、約１．７〜３．５のＭｗ／Ｍｎを有し、融解熱ΔＨ（Ｊ／ｇ）、最高ＤＳＣピークと最高ＣＲＹＳＴＡＦピークとの間の温度差として定義される、デルタ量ΔＴ（℃）によって特徴付けられ、このΔＴおよびΔＨの数値が、以下の関係：
ΔＴ＞−０．１２９９（ΔＨ）＋６２．８１（ΔＨがゼロより大きくかつ最大１３０Ｊ／ｇまで）、
ΔＴ≧４８℃（ΔＨが１３０Ｊ／ｇより大きい場合）、
を有し、
ここで前記ＣＲＹＳＴＡＦピークが累積ポリマーの少なくとも５パーセントを用いて決定され、かつ前記ポリマーの５パーセント未満が同定可能なＣＲＹＳＴＡＦピークを有するならば、前記ＣＲＹＳＴＡＦ温度は３０℃である、潤滑性組成物。
【請求項４】
請求項１に記載の潤滑性組成物であって、前記エチレン／α−オレフィン共重合体が、前記エチレン／α−オレフィン共重合体の圧縮成形フィルムで測定された、３００パーセントのひずみかつ１サイクルでのパーセントである、弾性回復率Ｒｅによって特徴付けられ、そして密度ｄ（ｃｍ3）を有し、前記エチレン／α−オレフィン共重合体が実質的に架橋相を有さない場合、前記Ｒｅおよびｄの数値が、以下の関係、
Ｒｅ＞１４８１−１６２９（ｄ）を満たす、潤滑性組成物。
【請求項５】
請求項１に記載の潤滑性組成物であって、前記Ｒｅおよびｄの数値が以下の関係：
Ｒｅ＞１４９１−１６２９（ｄ）を満たす、潤滑性組成物。
【請求項６】
請求項１に記載の潤滑性組成物であって、前記Ｒｅおよびｄの数値が以下の関係：
Ｒｅ＞１５０１−１６２９（ｄ）を満たす、潤滑性組成物。
【請求項７】
請求項１に記載の潤滑性組成物であって、前記Ｒｅおよびｄの数値が以下の関係：
Ｒｅ＞１５１１−１６２９（ｄ）を満たす、潤滑性組成物。
【請求項８】
請求項１に記載の潤滑性組成物であって、前記エチレン／α−オレフィン共重合体が、ＴＲＥＦを用いて分画される場合、４０℃と１３０℃との間で溶出する分子画分であって、前記同じ温度の間で溶出する比較対象となるランダムエチレン共重合体画分のコモノマーモル含量よりも少なくとも５パーセント高いコモノマーモル含量を有するという点で特徴付けられる画分を有し、前記比較対象となるランダムエチレン共重合体が同じコモノマーを有し、かつメルトインデックス、密度、およびコモノマーモル含量（ポリマー全体に基づく）を前記エチレン／α−オレフィン共重合体のものの１０パーセント内で有する、潤滑性組成物。
【請求項９】
請求項１に記載の潤滑性組成物であって、前記エチレン／α−オレフィン共重合体が、２５℃での貯蔵弾性率であるＧ’（２５℃）、および１００℃での貯蔵弾性率であるＧ’（１００℃）を有し、前記Ｇ’（１００℃）に対するＧ’（２５℃）の比が約１：１〜約９：１の範囲である、潤滑性組成物。
【請求項１０】
請求項１に記載の潤滑性組成物であって、前記α−オレフィンが、スチレン、プロピレン、１−ブテン、１−ヘキセン、１−オクテン、４−メチル−１−ペンテン、ノルボルネン、１−デセン、１，５−ヘキサジエンまたはそれらの組み合わせである、潤滑性組成物。
【請求項１１】
前記基油が、ＡＰＩの第Ｉ、ＩＩ、ＩＩＩ、ＩＶおよびＶグループのベースストックならびにその組み合わせからなる群より選択される、請求項１に記載の潤滑性組成物。
【請求項１２】
前記基油が、天然油、合成油またはその組み合わせである、請求項１に記載の潤滑性組成物。
【請求項１３】
前記潤滑性組成物がさらに、少なくとも１つの添加物を含む、請求項１に記載の潤滑性組成物。
【請求項１４】
前記添加物が、界面活性剤、分散剤、摩擦調整剤、流動点降下剤、乳化破壊剤、消泡剤、防蝕剤、耐磨耗剤、抗酸化剤、さび止め剤、増粘剤またはそれらの組み合わせである、請求項１３に記載の潤滑性組成物。
【請求項１５】
前記潤滑性組成物が、モーターオイル、トランスミッション液、ギアオイル、パワーステアリング液、ショックアブソーバ液、ブレーキ液、作動液またはグリースである、請求項１に記載の潤滑性組成物。
【請求項１６】
前記潤滑性組成物が、モーターオイルである、請求項１５に記載の潤滑性組成物。
【請求項１７】
前記モーターオイルがさらに、流動点降下剤、界面活性剤、分散剤、耐磨耗剤、抗酸化剤、摩擦調整剤、さび止め剤、またはそれらの組み合わせをさらに含む、請求項１６に記載の潤滑性組成物。
【請求項１８】
前記潤滑性組成物が、トランスミッション液である、請求項１５に記載の潤滑性組成物。
【請求項１９】
前記トランスミッション液が、さらに摩擦調整剤、界面活性剤、分散剤、抗酸化剤、耐磨耗剤、極圧添加剤、流動点降下剤、消泡剤、防蝕剤またはそれらの組み合わせを含む、請求項１８に記載の潤滑性組成物。
【請求項２０】
前記潤滑性組成物がギアオイルである、請求項１５に記載の潤滑性組成物。
【請求項２１】
前記ギアオイルがさらに、耐磨耗剤、極圧添加剤、さび止め剤またはそれらの組み合わせを含む、請求項２０に記載の潤滑性組成物。
【請求項２２】
前記潤滑性組成物がグリースである、請求項１５に記載の潤滑性組成物。
【請求項２３】
前記グリースがさらに、増粘剤、錯化剤、抗酸化剤、耐磨耗剤、極圧添加剤、消泡剤、防蝕剤またはそれらの組み合わせを含む、請求項２２に記載の潤滑性組成物。